(57)【要約】【課題】制御情報が符号化されて生成された符号化図形の誤検知を低減する。【解決手段】画像読取装置によって原稿を読み取って生成された読取画像に含まれ、画像処理の内容を示す制御情報が符号化されて生成された符号化図形に基づき、前記読取画像に対して前記画像処理を実行する際に、前記原稿の第１面および第２面を読み取ってそれぞれ生成された読取画像において前記符号化図形を検知し、前記第１面の読取画像において検知された第１符号化図形の画像と、前記第２面の読取画像において検知された第２符号化図形の画像とが一致する場合に、前記制御情報を出力し、出力された前記制御情報に基づいて画像処理を実行することを特徴とする。【選択図】図９
2019161584.tif 000002
【特許請求の範囲】
【請求項１】
画像読取装置によって原稿を読み取って生成された読取画像に含まれ、画像処理の内容を示す制御情報が符号化されて生成された符号化図形に基づき、前記読取画像に対して前記画像処理を実行する情報処理装置であって、
前記原稿の第１面および第２面を読み取ってそれぞれ生成された読取画像において前記符号化図形を検知する符号化図形検知部と、
検知された前記符号化図形に符号化されている前記制御情報を出力する符号化図形処理部と、
出力された前記制御情報に基づいて画像処理を実行する画像処理部と、
を含み、
前記符号化図形処理部は、
前記第１面の読取画像において検知された第１符号化図形の画像と前記第２面の読取画像において検知された第２符号化図形の画像とが一致する場合に、前記制御情報を出力する
ことを特徴とする情報処理装置。
【請求項２】
前記符号化図形処理部は、
前記第１符号化図形の画像と、左右反転させた前記第２符号化図形の画像とが一致する場合に、前記制御情報を出力する
ことを特徴とする請求項１に記載の情報処理装置。
【請求項３】
前記符号化図形検知部は、
前記第２面の読取画像において前記第２符号化図形の一部である部分符号化図形を検知し、
前記符号化図形処理部は、
前記第１符号化図形の画像と、前記部分符号化図形の画像とが一致する場合に、前記制御情報を出力する
ことを特徴とする請求項１または請求項２に記載の情報処理装置。
【請求項４】
前記符号化図形処理部は、
前記第１符号化図形として符号化されている第１制御情報および前記第２符号化図形として符号化されている第２制御情報を出力し、
前記画像処理部は、
前記第１制御情報もしくは前記第２制御情報のいずれかに基づいて画像処理を実行する
ことを特徴とする請求項１から請求項３のいずれか一項に記載の情報処理装置。
【請求項５】
前記制御情報を記憶する記憶部
を含み、
前記画像処理部は、
前記符号化図形に符号化されている符号化制御情報と前記記憶部に記憶されている制御情報とが同一である場合に、前記記憶部に記憶されている制御情報に基づいて画像処理を実行する
ことを特徴とする請求項１から請求項３のいずれか一項に記載の情報処理装置。
【請求項６】
前記画像処理部は、
前記符号化制御情報と、前記記憶部に記憶されている複数の前記制御情報とが同一である場合に、複数の前記制御情報のうちいずれかの制御情報に基づいて画像処理を実行する
ことを特徴とする請求項５に記載の情報処理装置。
【請求項７】
前記画像処理部は、
前記記憶部に記憶されている複数の前記制御情報のうち、前記符号化制御情報によって実行される読み取り処理の内容が共通している制御情報に基づいて画像処理を実行する
ことを特徴とする請求項５または請求項６に記載の情報処理装置。
【請求項８】
画像読取装置によって原稿を読み取って生成された読取画像に含まれ、画像処理の内容を示す制御情報が符号化されて生成された符号化図形に基づき、前記読取画像に対して前記画像処理を実行する画像処理方法であって、
前記原稿の第１面および第２面を読み取ってそれぞれ生成された読取画像において前記符号化図形を検知し、
前記第１面の読取画像において検知された第１符号化図形の画像と、前記第２面の読取画像において検知された第２符号化図形の画像とが一致する場合に、前記制御情報を出力し、
出力された前記制御情報に基づいて画像処理を実行する
ことを特徴とする画像処理方法。
【請求項９】
画像読取装置によって原稿を読み取って生成された読取画像に含まれ、画像処理の内容を示す制御情報が符号化されて生成された符号化図形に基づき、前記読取画像に対して前記画像処理を実行する画像処理プログラムであって、
前記原稿の第１面および第２面を読み取ってそれぞれ生成された読取画像において前記符号化図形を検知するステップと、
前記第１面の読取画像において検知された第１符号化図形の画像と、前記第２面の読取画像において検知された第２符号化図形の画像とが一致する場合に、前記制御情報を出力するステップと、
出力された前記制御情報に基づいて画像処理を実行するステップと、
をコンピュータに実行させることを特徴とする画像処理プログラム。
【発明の詳細な説明】
【技術分野】
【０００１】
本発明は、情報処理装置、画像処理方法、画像処理プログラムに関する。
【背景技術】
【０００２】
近年、情報の電子化が推進される傾向にあり、電子化された情報の出力に用いられるプリンタやファクシミリおよび書類の電子化に用いるスキャナ等の画像処理装置は欠かせない機器となっている。このような画像処理装置は、撮像機能、画像形成機能および通信機能等を備えることにより、プリンタ、ファクシミリ、スキャナ、複写機として利用可能な複合機として構成されることが多い。
【０００３】
このような画像処理装置においては、スキャナ等の画像読取装置から取得した読取画像データに対する処理の指示を、所定の形式の二次元コード情報で取得し、取得した二次元コードをデコード（復号）して得られた指示に基づき、読取画像データへの処理を制御する技術が提案されている（例えば、特許文献１参照）。
【発明の概要】
【発明が解決しようとする課題】
【０００４】
特許文献１に開示された方法においては、読取画像データに対する処理の指示を、二次元コードが表現された原稿または二次元コードを含む画像データとして保持しておけば、読取画像データに対して意図した処理を自動的に行わせることが可能である。
【０００５】
しかしながら、読取画像データに複数の二次元コードが存在した場合には、どの二次元コードが実行するべき処理を示す情報を符号化した二次元コードであるのかが不明であり、意図した画像処理を実行することができない。
【０００６】
本発明は、このような課題を解決するためになされたものであり、制御情報が符号化されて生成された符号化図形の誤検知を低減することを目的とする。
【課題を解決するための手段】
【０００７】
上記課題を解決するために、本発明の一態様は、画像読取装置によって原稿を読み取って生成された読取画像に含まれ、画像処理の内容を示す制御情報が符号化されて生成された符号化図形に基づき、前記読取画像に対して前記画像処理を実行する情報処理装置であって、前記原稿の第１面および第２面を読み取ってそれぞれ生成された読取画像において前記符号化図形を検知する符号化図形検知部と、検知された前記符号化図形に符号化されている前記制御情報を出力する符号化図形処理部と、出力された前記制御情報に基づいて画像処理を実行する画像処理部と、を含み、前記符号化図形処理部は、前記第１面の読取画像において検知された第１符号化図形の画像と前記第２面の読取画像において検知された第２符号化図形の画像とが一致する場合に、前記制御情報を出力することを特徴とする。
【発明の効果】
【０００８】
本発明によれば、制御情報が符号化されて生成された符号化図形の誤検知を低減することができる。
【図面の簡単な説明】
【０００９】
【図１】本発明の実施形態に係る画像処理装置の外観構成を示す図。
【図２】本発明の実施形態に係る画像処理装置の外観構成を示す図。
【図３】本発明の実施形態に係る画像処理装置の内部構成を示す図。
【図４】本発明の実施形態に係る画像読取部の内部構成を示す図。
【図５】本発明の実施形態に係る第２の給紙口の構成を示す図。
【図６】本発明の実施形態に係る画像処理装置のハードウェア構成を示す図。
【図７】本発明の実施形態に係る画像処理装置の機能構成を示すブロック図。
【図８】本発明の実施形態に係るセンサおよびモータの構成図。
【図９】本発明の実施形態に係るクリアファイルに収納された原稿を例示した図。
【図１０】本発明の実施形態に係るクリアファイルに収納された原稿を例示した図。
【図１１】本発明の実施形態に係る画像処理部の機能構成を示すブロック図。
【図１２】本発明の実施形態に係る二次元コードの付加態様を示す図。
【図１３】本発明の実施形態に係る制御情報を自然言語で例示した図。
【図１４】本発明の実施形態に係るジョブ設定を例示した図。
【図１５】本発明の実施形態に係るジョブ設定を例示した図。
【図１６】本発明の実施形態に係る画像処理装置における処理の流れを示すフローチャート。
【図１７】本発明の実施形態に係る画像処理装置における処理の流れを示すフローチャート。
【図１８】本発明の実施形態に係る二次元コードの付加態様を示す図。
【図１９】本発明の実施形態に係る画像処理装置における処理の流れを示すフローチャート。
【図２０】本発明の実施形態に係る画像処理装置における処理の流れを示すフローチャート。
【図２１】本発明の実施形態に係る画像処理装置における処理の流れを示すフローチャート。
【図２２】本発明の実施形態に係る画像処理装置における処理の流れを示すフローチャート。
【図２３】本発明の実施形態に係るジョブ設定を例示した図。
【図２４】本発明の実施形態に係るクリアファイルに収納された原稿を例示した図。
【図２５】本発明の実施形態に係るクリアファイルに収納された原稿を例示した図。
【図２６】本発明の実施形態に係る二次元コードの検知態様を説明する図。
【発明を実施するための形態】
【００１０】
第１の実施形態．
以下、図面を参照して、本発明の実施形態について説明する。本実施形態では、撮像機能、画像形成機能、ＦＡＸ（Ｆａｃｓｉｍｉｌｅ）機能およびネットワーク通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）を例として説明する。
【００１１】
まず、本実施形態に係る画像処理装置１の構成について説明する。図１および図２は、本実施形態に係る画像処理装置１の外観構成を示す図である。
【００１２】
図１に示すように、本実施形態に係る画像処理装置１は、画像形成部３、画像読取部４、搬送部（ＡＤＦ）５を含んで構成される。画像処理装置１は、搬送部５から搬送された読み取り対象の原稿を画像読取部４が読み取ることによってスキャン動作を実行する。したがって、画像読取部４と搬送部５とが協働して、画像読取装置６として機能する。
【００１３】
図２に示すように、画像読取装置６は、画像処理装置１の筐体上部に設けられており、原稿トレイ５１、案内部材５４、カバー５５、第１の給紙口５９、第２の給紙口７２、手差し原稿トレイ７３を含んで構成される。
【００１４】
第１の給紙口５９は、原稿トレイ５１、案内部材５４およびカバー５５に囲まれて形成され、搬送部５の上面付近に設けられている。原稿トレイ５１は、板状の部材であり、上面５１ａに原稿Ｓが載置される。
【００１５】
案内部材５４は、第１の給紙口５９に原稿Ｓが挿入される方向に沿って配置されている棒状の部材である。案内部材５４は、原稿Ｓを両側から挟み込むようにして、第１の給紙口５９に対して原稿Ｓが挿入される位置を調節することができる。カバー５５は、搬送部５を構成する各部品を収容可能なように構成される。
【００１６】
第２の給紙口７２は、手差し原稿トレイ７３が展開された状態において、手差し原稿トレイ７３、案内部材７１およびカバー５５に囲まれて形成され、画像読取部４の側面付近に設けられている。なお、図１および図２では、手差し原稿トレイ７３が画像処理装置１の筐体内部に収納された状態が示されている。
【００１７】
手差し原稿トレイ７３は、板状の部材であり、上面７３ａに原稿Ｓが載置される。案内部材７１は、第２の給紙口７２に原稿Ｓが挿入される方向に対を成して配され、手差し原稿トレイ７３の上面７３ａから突出して配置される。
【００１８】
また、案内部材７１は、第２の給紙口７２に原稿Ｓが挿入される方向に沿って配置されている板状の部材である（図５参照）。案内部材７１は、原稿Ｓを両側から挟み込むようにして、第２の給紙口７２に対して原稿Ｓが挿入される位置を調節することができる。
【００１９】
次に、本実施形態に係る画像処理装置１の機械構成について図３から図５を参照して説明する。図３は、本実施形態に係る画像処理装置１の構成を示す断面図である。図３に示すように、画像処理装置１は、載置された原稿を読み取るフラットベッドスキャナモードと、搬送された原稿を読み取るＤＦスキャナモードとの間でスキャナ動作を切り替えて実行できるように構成される。
【００２０】
フラットベッドスキャナモードは、コンタクトガラス４１上に載置された原稿Ｓに表現された画像を読み取るスキャナ動作である。フラットベッドスキャナモードにおいて、画像読取部４は、コンタクトガラス４１に載置された原稿Ｓの画像が表現されている面に対して光を照射し、その反射光を画像信号に変換して原稿Ｓに表現されている画像を読み取る。
【００２１】
ＤＦスキャナモードは、反転搬送経路５２またはストレート搬送経路６０による自動搬送中に、画像読取部４が原稿Ｓに表現された画像を読み取るスキャナ動作である。ＤＦスキャナモードにおいて、搬送部５は、ピックアップローラ５２ａにより原稿トレイ５１に積載された原稿Ｓを１枚ずつ分離させて反転搬送経路５２に搬入する。
【００２２】
搬送部５は、原稿Ｓを反転搬送経路方向５２１に沿って搬送させる。反転搬送経路５２を搬送されるにしたがって、原稿Ｓは、反転搬送経路方向５２１の上流側から順次部分的にＤＦコンタクトガラス４２に対面する。
【００２３】
すなわち、画像処理装置１は、搬送部５により原稿Ｓを搬送し、原稿Ｓに表現された画像を画像読取部４のＤＦコンタクトガラス４２上で順次読み取ることによってＤＦスキャナモードによるスキャナ動作を実行する。
【００２４】
搬送部５は、画像処理装置本体１Ｍの上面側の後部（すなわち、背面側の部分）にヒンジ等の開閉機構を有して取り付けられている。そのため、搬送部５は、画像処理装置本体１Ｍに対してコンタクトガラス４１を開放する開位置と、コンタクトガラス４１上の原稿Ｓを押付け可能な閉位置とを取ることができる。
【００２５】
次に、画像読取部４の構成について図４を参照して説明する。図４（ａ）〜（ｃ）は、本実施形態に係る画像読取部４の構成を示す図である。画像処理装置１がフラットベッドスキャナモードでスキャナ動作を行う場合、コンタクトガラス４１は、読取対象の原稿Ｓの画像が表現されている面（以後、画像面）に対面するように設けられている。
【００２６】
また、画像処理装置１がＤＦスキャナモードでスキャナ動作を行う場合、ＤＦコンタクトガラス４２は、反転搬送経路５２の所定の読み取り位置を通過する原稿Ｓの画像面に対面するように設けられている。さらに、ＤＦコンタクトガラス４２は、図４（ａ）に示すように、その表面４２ａがコンタクトガラス４１の表面４１ａに対して予め設定された傾斜角θを形成するように設けられている。
【００２７】
画像読取部４の内部には、読取ユニット４５およびガイドロッド４６が設けられている。ガイドロッド４６は、図４（ａ）〜（ｃ）において、コンタクトガラス４１およびＤＦコンタクトガラス４２の下部に左右方向にわたって設けられる。読取ユニット４５は、ガイドロッド４６に沿って走行可能に設けられる。
【００２８】
読取ユニット４５は、一体型光学走査ユニット４７、ブラケット４８および複数の圧縮コイルばね４９を含む。ブラケット４８は、一体型光学走査ユニット４７を保持するための部材である。圧縮コイルばね４９は、それぞれ、一体型光学走査ユニット４７およびブラケット４８の間に圧縮された状態で設けられている。
【００２９】
一体型光学走査ユニット４７は、例えば、モールドフレームに、等倍結像素子ルーフミラーレンズアレイ、光路分離ミラー、等倍イメージセンサ、照明光源等を設けたイメージセンサとして構成される。一体型光学走査ユニット４７は、画像を主走査方向にライン走査することができ、厚みの大きいクリアファイル３００や原稿Ｓに表現された画像の読み取りも可能な程度の焦点深度を有する。
【００３０】
なお、一体型光学走査ユニット４７は、ＤＦスキャナとフラットベットスキャナに対応できる構成であれば、特定の方式に限定されるものではない。主走査方向は、コンタクトガラス４１の上面およびＤＦコンタクトガラス４２の上面の双方に対して平行な方向（図３の紙面に対して略垂直な方向）である。
【００３１】
ブラケット４８は、下側スライダ部４８ａ、一対の保持腕部４８ｂおよびブラケット本体部４８ｄを含む。下側スライダ部４８ａは、ガイドロッド４６に支持されている部材であって、ブラケット本体部４８ｄの長手方向中央の下部に固定されている筒状の部材によって構成される。ブラケット本体部４８ｄには、下側スライダ部４８ａおよび一対の保持腕部４８ｂが一体に装着されている。
【００３２】
一対の保持腕部４８ｂは、一体型光学走査ユニット４７を保持するための部材であって、ブラケット本体部４８ｄの両端側で図中上方側に突出する一対の板状体によって構成される。一対の保持腕部４８ｂには、一体型光学走査ユニット４７の両端面から垂直に突出する突出部４７ａを長手方向軸線回りに姿勢変化可能に、および、上下方向に変位可能に動作させるために、垂直方向に長穴（小判状の穴）４８ｃが形成されている。
【００３３】
複数の圧縮コイルばね４９は、一体型光学走査ユニット４７の下面部分を、主走査方向の複数箇所において、コンタクトガラス４１側およびＤＦコンタクトガラス４２側に押し付けるように設けられている。
【００３４】
また、一体型光学走査ユニット４７の上部には、コンタクトガラス４１およびＤＦコンタクトガラス４２のうち少なくとも一方の下面に当接しながら副走査方向（図４の左右方向）に滑動可能な矩形環状の上部スライダ部４７ｂが装着されている。
【００３５】
なお、この上部スライダ部４７ｂとして一体型光学走査ユニット４７の長手方向、または、短手方向に延在するとともに、その延在方向と直交する方向に互いに離間する突起状のものを用いてもよい。
【００３６】
また、上部スライダ部４７ｂは、複数の半球状の突起などで構成されていてもよい。いずれの場合も、上部スライダ部４７ｂは、コンタクトガラス４１およびＤＦコンタクトガラス４２の下面、もしくは、これらに代わるガイド面に対し、小さな摩擦係数によって、摺動性および滑動性が高い素材で形成されるとよい。
【００３７】
一体型光学走査ユニット４７は、ブラケット４８の下方側に配置されたガイドロッド４６によって副走査方向に移動可能なように設けられている。そして、一体型光学走査ユニット４７は、副走査方向の位置に応じて、上部がコンタクトガラス４１およびＤＦコンタクトガラス４２のうちいずれか一方または両方にスライド可能なように当接する。このようにして、読取ユニット４５は、ガイドロッド４６に沿って移動可能ではあるが、ガイドロッド４６の軸回りの傾きを規制される。
【００３８】
読取ユニット４５は、コンタクトガラス４１上の原稿Ｓの画像面を主走査方向（図４の紙面に対して略垂直な方向）にライン走査するとともに副走査方向（図４の左右方向）に移動することで、原稿Ｓに表現された画像を読み取ることができる。また、読取ユニット４５は、ＤＦコンタクトガラス４２を通過するクリアファイル３００や原稿Ｓの画像面を主走査方向にライン走査してクリアファイル３００や原稿Ｓに表現された画像を読み取ることができる。
【００３９】
なお、画像読取部４の内部には、周方向の一箇所に読取ユニット４５のブラケット４８が固定された無端のループ状部材であるタイミングベルトが設けられている。また、画像読取部４の内部には、タイミングベルトが弛みなく掛け渡された複数のタイミングプーリ、および、いずれか１つのタイミングプーリを回転駆動するモータなどの駆動装置が設けられている。
【００４０】
フラットベットスキャナモードでのスキャナ動作を行う場合、読取ユニット４５は、ホームポジションから副走査方向の一方側に移動、例えば、停止位置付近のホームポジション（図３に実線で示す位置）から図３の右側に向かって移動する。
【００４１】
そして、読取ユニット４５は、微小距離を移動するたびに、一体型光学走査ユニット４７によるライン走査を実行して、コンタクトガラス４１上に載置された原稿Ｓの表面（下面）の画像を読み取るスキャナ動作を実行する。また、そのスキャナ動作が終了すると、読取ユニット４５は、再度ホームポジション（図３に実線で示す位置）に戻る。
【００４２】
ＤＦスキャナモードでのスキャナ動作を行う場合、読取ユニット４５は、ホームポジション（図２に実線で示す位置）からＤＦコンタクトガラス４２の下方の位置（図２に破線で示す位置）に移動する。
【００４３】
すなわち、読取ユニット４５は、ホームポジションを基準として、予め設定された距離だけ副走査方向の他方側に移動したＤＦコンタクトガラス４２の下方の位置で停止し、ＤＦコンタクトガラス４２を通過するクリアファイル３００や原稿Ｓの表面に表現された画像を読み取る。
【００４４】
このように、読取ユニット４５は、副走査方向に移動可能に設けられ、コンタクトガラス４１の下方側とＤＦコンタクトガラス４２の下方側とに位置することができる。そして、一体型光学走査ユニット４７は、読取ユニット４５の副走査方向の位置に応じて、コンタクトガラス４１によって画像を読み取る第１読取姿勢と、ＤＦコンタクトガラス４２によって画像を読み取る第２読取姿勢とに姿勢を変化させることができる。
【００４５】
搬送部５は、原稿Ｓなどの定型のシートを載置可能な原稿載置部として機能する原稿トレイ５１、原稿Ｓを画像読取り可能に搬送する反転搬送経路５２および画像読み取り後の原稿Ｓをスタックする排紙トレイ５３を備えている。原稿トレイ５１および排紙トレイ５３は、少なくともお互いの一部が離間した状態で上下に重ねて配置される。
【００４６】
画像処理装置１では、クリアファイル３００や原稿Ｓをスキャンし、クリアファイル３００や原稿Ｓに表現された画像を取得するスキャン処理を行う際に、複数の設定からユーザが所望する設定を選択して実行することができる。
【００４７】
このとき、例えば、スキャン処理の設定情報が符号化された符号化図形であるＱＲコード（登録商標）などの二次元コード３０２がクリアファイル３００や原稿Ｓに表現されている場合、ユーザが、二次元コード３０２に符号化された設定情報に従ってスキャン処理を所望するとは限らない。
【００４８】
そこで、本実施形態では、原稿Ｓがどの給紙口から挿入されたかに応じて、画像処理装置１が行う処理の設定について複数の設定から所望の設定が選択可能なようにする。
【００４９】
すなわち、画像処理装置１は、第１の給紙口５９から挿入された原稿Ｓに対して、ユーザがディスプレイパネル７９０から入力することで受け付けられた設定（ユーザ設定）によってスキャン処理を行う。一方で、画像処理装置１は、第２の給紙口７２から挿入されたクリアファイル３００や原稿Ｓに対して、二次元コード３０２に示された設定（符号化設定）でスキャン処理を行う。
【００５０】
したがって、ユーザは、操作パネルで受け付けられた設定によってスキャン処理を実行したい場合には、原稿Ｓを第１の給紙口５９に挿入し、二次元コード３０２に示された設定によってスキャン処理を実行したい場合には、クリアファイル３００や原稿Ｓを第２の給紙口７２に挿入すればよい。このように、画像処理装置１が実行する処理に反映させる設定をユーザの所望する通りに適切に選択することができる。
【００５１】
なお、本実施形態において、ＱＲコードに示された設定によってスキャン処理を実行する場合に使用される第２の給紙口７２は、例えば、図５に示すように構成される。図５は、本実施形態に係る第２の給紙口７２の構成を示す図である。
【００５２】
搬送部５は、カードや厚紙など、反転搬送では搬送できないクリアファイル３００や原稿Ｓを読み取るためのストレート搬送経路６０を含んで構成される。ストレート搬送経路６０は、反転搬送経路５２の一部であるローラ対５２ｃ以降の搬送方向下流側の搬送経路であって、第２の給紙口７２から排紙口５６までの搬送経路のことを指す。
【００５３】
なお、カードとは、ＩＤカード（身分証明書カード）、交通系カードなどである。また、カードのサイズは、例えば、身分証明書カードの形状を定めた国際規格であるＩＳＯ／ＩＥＣ  ７８１０のＩＤ−１、ＩＤ−２またはＩＤ−３のいずれか、もしくは、それと同程度のサイズである。
【００５４】
ストレート搬送経路６０を使用する場合、ユーザは、第２の給紙口７２からクリアファイル３００や原稿Ｓを手差しで１枚ずつ差し込み挿入する。開閉式の手差し原稿トレイ７３を開放して第２の給紙口７２からクリアファイル３００や原稿Ｓをストレート搬送経路６０に搬送することができる。
【００５５】
手差し原稿トレイ７３は、カバー５５の側面の一部に収納可能なように構成され、第２の給紙口７２を開放するように回動可能に設けられている。第２の給紙口７２の入口部付近には、手差しセット検知センサ７４があり、第２の給紙口７２からクリアファイル３００や原稿Ｓが差し込まれたことを検知する。
【００５６】
手差しセット検知センサ７４でクリアファイル３００や原稿Ｓの差込みが検知されると、所定時間経過後にローラ対５２ｃが回転する。そして、クリアファイル３００や原稿Ｓの先端をローラ対５２ｃの下流にあるレジストセンサ５７が検知すると、ローラ対５２ｃの回転を停止して原稿Ｓを挟持する。
【００５７】
ローラ対５２ｃは、クリアファイル３００や原稿Ｓを挟持した状態で待機した後、スキャン動作を実行する情報を受信すると、次のクリアファイル３００や原稿Ｓをストレート搬送経路６０に搬送する。
【００５８】
反転搬送経路５２は、操作パネルで受け付けられた設定によってスキャン処理を実行したい場合に、第１の給紙口５９から挿入された原稿Ｓを搬送する経路である。ストレート搬送経路６０は、ＱＲコードに示された設定によってスキャン処理を実行する場合に、第２の給紙口７２から挿入された原稿Ｓを搬送する経路である。
【００５９】
図３に示すように、反転搬送経路５２は、第１の給紙口５９から排紙口５６までの搬送経路のことである。反転搬送経路５２のうち、ローラ対５２ｃ以降の下流側は、ストレート搬送経路６０と共通化されている。
【００６０】
第１の給紙口５９付近には、原稿セットセンサ５８があり、第１の給紙口５９から原稿Ｓが差し込まれたことを検知する。原稿Ｓに表現された画像を読み取るために原稿トレイ５１に原稿Ｓがセットされ、画像処理装置１に設けれたディスプレイパネル７９０のスタートボタンが押下されると、最も上に載置されている原稿Ｓから順に反転搬送経路５２へ繰り出される。
【００６１】
例えば、原稿トレイ５１に載置された原稿Ｓのうち、最も上に載置された原稿Ｓは、第１の給紙口５９からピックアップローラ５２ａによってピックアップされ、ローラ対５２ｂおよびローラ対５２ｃによるＵターン搬送経路によって折り返されるようにＵターン搬送される。
【００６２】
この後、原稿Ｓは、ＤＦコンタクトガラス４２を通過する際に、読取ローラ５２ｆからの加圧によって、ＤＦコンタクトガラス４２に密着された状態で、イメージセンサである一体型光学走査ユニット４７により第１面（例えば、表面）に表現された画像が読み取られる。
【００６３】
さらに、原稿Ｓは、光学走査ユニット６９を通過する際に、読取ローラ７０からの加圧によって、光学走査ユニット６９に密着された状態で、光学走査ユニット６９により他面の画像が読み取られる。そして、第２面（例えば、第１面の裏面）に表現された画像を読み取った後の原稿Ｓは、排紙ローラ対５２ｄにより排紙口５６から排紙トレイ５３に向けて排出される。
【００６４】
図３に示すように、ストレート搬送経路６０は、第２の給紙口７２から排紙口５６までの搬送経路を指す。第２の給紙口７２の入口部付近には、手差しセット検知センサ７４があり、第２の給紙口７２からクリアファイル３００や原稿Ｓが差し込まれたことを検知する。
【００６５】
ストレート搬送経路６０は、原稿トレイ５１で設定されている最小サイズのクリアファイル３００や原稿Ｓ（例えば、葉書サイズ）よりも小さいサイズの原稿、特に、キャッシュカードや各種クレジットカードなどのような厚手の樹脂カード類の搬送が可能となっている。
【００６６】
すなわち、ストレート搬送経路６０は、ストレート搬送経路６０全体が同一平面上にあるとともに、ピックアップローラ７５ａ、７５ｂ、ローラ対５２ｃ、読取ローラ５２ｆ、排紙ローラ対５２ｄの、それぞれの隣接する間隔が厚みのあるクリアファイル３００や原稿Ｓ（例えば、カード）の縦サイズ（または横サイズ）以下となるように配置される。
【００６７】
このような構成により、クリアファイル３００や原稿Ｓ（例えば、カード）を読み取る場合には、まず、手差し原稿トレイ７３を開くことによって、第２の給紙口７２を開放する。そして、第２の給紙口７２が開放された状態で手差し原稿トレイ７３にクリアファイル３００や原稿Ｓがセットされ、ディスプレイパネル７９０のスタートボタンが押下されると、手差し原稿トレイ７３に積層されたクリアファイル３００や原稿Ｓが、最も上に積層されたものから順にストレート搬送経路６０へ繰り出される。
【００６８】
例えば、クリアファイル３００や原稿Ｓは、第２の給紙口７２からピックアップローラ７５ａ、７５ｂによってピックアップされ、ローラ対５２ｃにより搬送される。そして、クリアファイル３００や原稿Ｓは、ＤＦコンタクトガラス４２を通過する際に、読取ローラ５２ｆからの加圧によって、ＤＦコンタクトガラス４２に密着された状態で一体型光学走査ユニット４７により第１面（例えば、表面）の画像が読み取られる。
【００６９】
さらに、クリアファイル３００や原稿Ｓが光学走査ユニット６９を通過する際に、読取ローラ７０からの加圧によって、光学走査ユニット６９に密着された状態で光学走査ユニット６９により第２面（第１面の裏面）の画像が読み取られる。そして、第２面の画像を読み取った後のクリアファイル３００や原稿Ｓは、排紙ローラ対５２ｄにより排紙口５６から排紙トレイ５３に向けて排出される。
【００７０】
図３に示すように、画像処理装置１では、第１の給紙口５９から排紙口５６までの反転搬送経路５２と、第２の給紙口７２から排紙口５６までのストレート搬送経路６０とにおいてローラ対５２ｃ以降の搬送経路の下流側部分が共通化されている。
【００７１】
このような構成によって、搬送部５の小型化やスキャン時間の短縮化、および、小サイズかつ厚手の樹脂カード類など、クリアファイル３００に挟み込まれた原稿Ｓの読み取りが可能となるため、スキャン処理の多様化に対応することができる。
【００７２】
次に、本実施形態に係る画像処理装置１全体のハードウェア構成について説明する。図６は、本実施形態に係る画像処理装置１のハードウェア構成を示すブロック図である。図６に示すように、本実施形態に係る画像処理装置１は、一般的なＰＣ（Ｐｅｒｓｏｎａｌ  Ｃｏｍｐｕｔｅｒ）やサーバ等の情報処理装置と同様の構成を有する。
【００７３】
すなわち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０、および、Ｉ／Ｆ５０がバス９０を介して接続されている。また、Ｉ／Ｆ５０には、ＬＣＤ（Ｌｉｑｕｉｄ  Ｃｒｙｓｔａｌ  Ｄｉｓｐｌａｙ）６０、操作部７９および専用デバイス８０が接続されている。
【００７４】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性の記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーションプログラム等が格納されている。
【００７５】
Ｉ／Ｆ５０は、バス９０と各種のハードウェアやネットワーク等を接続し制御する。ＬＣＤ６１は、ユーザが画像処理装置１の状態を確認するための視覚的ユーザインターフェースである。操作部７９は、ユーザが画像処理装置１に情報を入力するためのユーザインターフェースであり、本実施形態においては、タッチパネルやハードキー等によって構成される。
【００７６】
専用デバイス８０は、画像処理装置１特有の機能を実現するためのハードウェアであり、紙面上に画像形成出力を実行するプリントエンジンなどの画像形成部３や、紙面上の画像を読み取るための画像読取部４である。
【００７７】
このようなハードウェア構成において、ＲＯＭ３０に格納されたプログラムやＨＤＤ４０もしくは光学ディスク等の記録媒体からＲＡＭ２０に読みだされたプログラムに従ってＣＰＵ１０が演算を行うことにより、図７に示すようなソフトウェア制御部が構成される。このようにして構成されたソフトウェア制御部と、ハードウェアとの組み合わせによって、本実施形態に係る画像処理装置１の機能を実現する機能ブロックが構成される。
【００７８】
次に、本実施形態に係る画像処理装置１の機能構成について、図７を参照して説明する。図７は、本実施形態に係る画像処理装置１の機能構成を示すブロック図である。図７に示すように、画像処理装置１は、コントローラ１００、画像読取部４、搬送部５、排紙トレイ５３、ディスプレイパネル７９０、給紙テーブル１０６、画像形成部３、排紙トレイ１０７、ネットワークＩ／Ｆ１０８およびＦＡＸモデム１０９を有する。
【００７９】
また、コントローラ１００は、主制御部１１０、エンジン制御部１２０、画像処理部１３０、操作表示制御部１４０、入出力制御部１５０およびＦＡＸ制御部１６０を含む。なお、図７においては、電気的接続を実線の矢印で示しており、原稿もしくは文書束の流れを破線の矢印で示している。
【００８０】
ディスプレイパネル７９０は、画像処理装置１の状態を視覚的に表示する出力インターフェースであるとともに、タッチパネルとしてユーザが画像処理装置１を直接操作し、もしくは画像処理装置１に対して情報を入力する際の入力インターフェースでもある。すなわち、ディスプレイパネル７９０は、ユーザによる操作を受けるための画像を表示する機能を含む。ディスプレイパネル７９０は、図６に示すＬＣＤ６１および操作部７９によって実現される。
【００８１】
ネットワークＩ／Ｆ１０８は、画像処理装置１がネットワークを介して他の機器と通信するためのインターフェースであり、Ｅｔｈｅｒｎｅｔ（登録商標）やＵＳＢ（Ｕｎｉｖｅｒｓａｌ  Ｓｅｒｉａｌ  Ｂｕｓ）インターフェースが用いられる。ネットワークＩ／Ｆ１０８はＴＣＰ／ＩＰプロトコルによる通信が可能であり、図６に示すＩ／Ｆ５０によって実現される。ＦＡＸモデム１０９は、電話回線に接続されており、画像処理装置１がＦＡＸ送受信を行うためのインターフェースとして機能する。
【００８２】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って動作することにより構成されるソフトウェア制御部と集積回路などのハードウェアとによってコントローラ１００が構成される。コントローラ１００は、画像処理装置１全体を制御する制御部として機能する。
【００８３】
主制御部１１０は、コントローラ１００に含まれる各部を制御する役割を担い、コントローラ１００の各部に命令を与える。エンジン制御部１２０は、画像形成部３や画像読取部４等を制御もしくは駆動する駆動手段としての役割を担う。画像処理部１３０は、主制御部１１０の制御に従い、印刷出力すべき画像情報に基づいて描画情報を生成する。この描画情報とは、画像形成部３が画像形成動作において形成すべき画像を描画するための情報である。
【００８４】
また、画像処理部１３０は、画像読取部４から入力される撮像データを処理し、画像データを生成する。この画像データとは、スキャナ動作の結果物として画像処理装置１の記憶領域に格納され、ネットワークＩ／Ｆ１０８を介して他の情報処理端末や記憶装置に送信される、もしくはＦＡＸモデム１０９を介してＦＡＸ送信される情報である。
【００８５】
操作表示制御部１４０は、ディスプレイパネル７９０に情報表示を行いもしくはディスプレイパネル７９０を介して入力された情報を主制御部１１０に通知する。入出力制御部１５０は、ネットワークＩ／Ｆ１０８を介して入力される情報を主制御部１１０に入力する。また、主制御部１１０は、入出力制御部１５０を制御し、ネットワークＩ／Ｆ１０８およびネットワークを介してネットワークに接続された他の機器にアクセスする。
【００８６】
ＦＡＸ制御部１６０は、ＦＡＸモデム１０９が受信した信号に基づいて文書データを生成し、主制御部１１０に入力する。また、ＦＡＸ制御部１６０は、ＦＡＸモデム１０９を制御し、ＦＡＸモデム１０９を介してＦＡＸ送信を行う。なお、ＦＡＸ制御部１６０から主制御部１１０に入力された文書データは、入出力制御部１５０により、ＨＤＤ４０、もしくはネットワークＩ／Ｆ１０８およびネットワークを介してネットワークに接続された外部の装置に格納される。
【００８７】
画像処理装置１がプリンタとして動作する場合は、まず、入出力制御部１５０がネットワークＩ／Ｆ１０８を介して印刷ジョブを受信する。すなわち、入出力制御部１５０が、印刷データ取得部として機能する。入出力制御部１５０は、受信した印刷ジョブを主制御部１１０に転送する。主制御部１１０は、印刷ジョブを受信すると、画像処理部１３０を制御して印刷ジョブに含まれる文書情報もしくは画像情報に基づいて描画情報を生成する。
【００８８】
画像処理部１３０によって描画情報が生成されると、エンジン制御部１２０は、画像形成部３を制御し、生成された描画情報に基づき、給紙テーブル１０６から搬送される用紙に対して画像形成を実行させる。すなわち、画像処理部１３０、エンジン制御部１２０および画像形成部３が印刷出力部として機能する。
【００８９】
画像形成部３の具体的態様としては、インクジェット方式による画像形成機構や電子写真方式による画像形成機構などを用いることが可能である。画像形成部３によって画像形成が施された文書は排紙トレイ１０７に排紙される。
【００９０】
画像処理装置１がスキャナとして動作する場合は、ユーザによるディスプレイパネル７９０の操作もしくはネットワークＩ／Ｆ１０８を介して外部の装置から入力されるスキャン実行指示に応じて、操作表示制御部１４０もしくは入出力制御部１５０が主制御部１１０にスキャン実行信号を転送する。主制御部１１０は、受信したスキャン実行信号に基づき、エンジン制御部１２０を制御する。
【００９１】
エンジン制御部１２０は、搬送部５を駆動し、搬送部５にセットされた撮像対象のクリアファイル３００や原稿Ｓを上述したように画像読取部４に搬送する。また、エンジン制御部１２０は、画像読取部４を駆動し、搬送部５から搬送される原稿を撮像（スキャン）する。また、搬送部５に原稿がセットされておらず、画像読取部４に直接原稿がセットされた場合、画像読取部４は、エンジン制御部１２０の制御に従い、セットされた原稿を撮像する。すなわち、画像読取部４が撮像部として動作するとともに、エンジン制御部１２０が、読取制御部として機能する。
【００９２】
撮像動作においては、画像読取部４に含まれるＣＣＤ等の撮像素子が原稿を光学的に走査し、光学情報に基づいて生成された撮像情報が生成される。エンジン制御部１２０は、画像読取部４が生成した撮像情報を画像処理部１３０に転送する。画像処理部１３０は、主制御部１１０の制御に従い、エンジン制御部１２０から受信した撮像情報に基づき画像情報を生成する。
【００９３】
画像処理部１３０が生成した画像情報は主制御部１１０が取得し、主制御部１１０がＨＤＤ４０等の画像処理装置１に装着された記憶媒体に保存する。すなわち、画像読取部４、エンジン制御部１２０および画像処理部１３０が連動して、画像入力部として機能する。画像処理部１３０によって生成された画像情報は、ユーザの指示に応じてそのままＨＤＤ４０等に格納されもしくは入出力制御部１５０およびネットワークＩ／Ｆ１０８を介して外部の装置に送信される。
【００９４】
また、画像処理装置１が複写機として動作する場合は、エンジン制御部１２０が画像読取部４から受信した撮像情報もしくは画像処理部１３０が生成した画像情報に基づき、画像処理部１３０が描画情報を生成する。その描画情報に基づいてプリンタ動作の場合と同様に、エンジン制御部１２０が画像形成部３を駆動する。なお、描画情報と撮像情報との情報形式が同一である場合は、撮像情報をそのまま描画情報として用いることも可能である。
【００９５】
また、画像処理装置１がファクシミリとして動作する場合は、まず、スキャナ動作の場合と同様に画像処理部１３０によって画像情報が生成される。そして、主制御部１１０がＦＡＸ制御部１６０を制御し、ＦＡＸモデム１０９にＦＡＸ送信を実行させる。
【００９６】
また、ＦＡＸ受信の際には、ＦＡＸモデム１０９が電話回線より信号を受信し、その信号に基づいてＦＡＸ制御部１６０が文書データを生成する。ＦＡＸ制御部１６０が文書データを生成すると、主制御部１１０がその文書データに基づいてプリンタ動作の場合と同様にエンジン制御部１２０および画像処理部１３０を制御して出力を実行させる。もしくは主制御部１１０が入出力制御部１５０を制御してネットワークＩ／Ｆ１０８を介して外部の装置に格納させる。
【００９７】
このような構成において本実施形態に係る画像処理装置１は、スキャナとして動作する場合の画像処理に特徴を有する。まず、本実施形態に係る画像処理装置１においてスキャナ動作を行う際の概要について説明する。
【００９８】
図８は、本実施形態に係る画像処理装置１に搭載されているセンサおよびモータの構成を示す図である。図８に示すように、画像処理装置１は、レジストセンサ５７、原稿セットセンサ５８、手差しセット検知センサ７４、排紙センサ８９、突当センサ８５、原稿幅センサ８６、読取入口センサ８７、テーブル上昇センサ８４、ホームポジションセンサ８３、ピックアップモータ１０１、給紙モータ１０２、読取モータ１０３、排紙モータ１０４、底板上昇モータ１０５、排紙搬送モータ９１、赤色ＬＥＤ７５、青色ＬＥＤ７６、ソレノイド７８、および、エンジン制御部１２０を有する。
【００９９】
エンジン制御部１２０は、上述したように搬送部５および画像読取部４の付近に配置され、画像形成部３や画像読取部４、搬送部５等を制御もしくは駆動する駆動手段としての役割を担う。
【０１００】
例えば、エンジン制御部１２０は、レジストセンサ５７、原稿セットセンサ５８、手差しセット検知センサ７４、ホームポジションセンサ８３、テーブル上昇センサ８４、突当センサ８５、原稿幅センサ８６、読取入口センサ８７、排紙センサ８９等の各種センサの検知信号を取り込み、主制御部１１０に送信する。
【０１０１】
また、エンジン制御部１２０は、取り込まれた各種センサの検知信号に応じて主制御部１１０から受信した制御命令に従ってピックアップモータ１０１、給紙モータ１０２、読取モータ１０３、排紙モータ１０４、底板上昇モータ１０５、排紙搬送モータ９１、赤色ＬＥＤ７５、青色ＬＥＤ７６、ソレノイド７８等の各種アクチュエータの駆動を制御する。
【０１０２】
例えば、ピックアップモータ１０１は、エンジン制御部１２０による制御に従い、ピックアップローラ７５ａ、７５ｂを駆動させる。給紙モータ１０２は、エンジン制御部１２０による制御に従い、ローラ対５２ｂを駆動させる。読取モータ１０３は、エンジン制御部１２０による制御に従い、排紙ローラ対５２ｄを駆動させる。排紙モータ１０４は、エンジン制御部１２０による制御に従い、排紙ローラ対５２ｄを駆動させる。
【０１０３】
なお、主制御部１１０は、ディスプレイパネル７９０においてキー（例えば、スタートボタンなどのソフトキー）が押下されると、エンジン制御部１２０にクリアファイル３００に挟み込まれた原稿Ｓの給紙指令や読取開始指令を送信する。エンジン制御部１２０は、主制御部１１０から受信した原稿Ｓの給紙指令や読取開始指令に従って図８に示すセンサやモータの動作を制御する。
【０１０４】
このような構成によって、本実施形態に係る画像処理装置１は、クリアファイル３００に挟み込まれた原稿Ｓに表現された画像の読取処理（スキャン処理）を実行し、読取画像データ３０１を生成する。このとき、読取画像データ３０１に対する処理の指示を符号化した二次元コード３０２が含まれている場合がある。
【０１０５】
図９および図１０は、本実施形態に係る二次元コード３０２が貼り付けられたクリアファイル３００に収納された原稿Ｓを例示した図である。なお図９は、原稿Ｓが挟み込まれたクリアファイル３００を原稿Ｓの第１面から見た図、図１０は、原稿Ｓが挟み込まれたクリアファイル３００を原稿Ｓの第２面（第１面の裏面）から見た図である。
【０１０６】
二次元コード３０２は、クリアファイル３００を読み取ることによって生成された画像情報に対して実行するべき動作に関する情報が符号化された図形である。この動作に関する情報には、読み取った画像に対する編集の実行を示す情報や、読み取った画像を所定のアドレスへ配信するスキャン配信の配信先に関する情報などが含まれる。
【０１０７】
本実施形態に係る二次元コード３０２は、クリアファイル３００の両面に印刷もしくは貼り付けられた状態で構成される。図９に示す二次元コード３０２ｆは、クリアファイル３００の第１面に存在し、図１０に示す二次元コード３０２ｂは、クリアファイル３００の第２面（第１面の裏面）において、第１面に存在する二次元コード３０２ｆとぴったり重なる位置に存在する。
【０１０８】
また、二次元コード３０２ｂは、二次元コード３０２ｆを左右反転処理して生成された符号化図形である。したがって、二次元コード３０２ｂは、二次元コード３０２ｆの鏡像であるため、二次元コード３０２ｂを左右反転させることによって、二次元コード３０２ｆおよび二次元コード３０２ｂをデコードした場合に同じ情報を得ることができる。
【０１０９】
図９および図１０において説明した二次元コード３０２に基づく動作の機能は、画像処理部１３０によって実現される。図１１を参照して、本実施形態に係る画像処理部１３０の機能構成について説明する。
【０１１０】
図１１に示すように、本実施形態に係る画像処理部１３０は、符号化図形検知部３１０、符号化図形処理部３３０、符号化図形比較部３２０、一時記憶部３４０および編集処理部３５０を含む。なお、図１１においては、画像データの流れを実線の矢印で示し、制御データの流れを破線の矢印で示している。
【０１１１】
符号化図形検知部３１０は、画像読取部４で読み取られた読取画像データ３０１を取得し、読取画像データ３０１に含まれる二次元コード３０２を抽出する。さらに、符号化図形検知部３１０は、第１面の読取画像データ３０１ｆにおいて二次元コード３０２ｆを検知した第１座標に基づいて、第２面の読取画像データ３０１ｂにおける二次元コード３０２ｂの有無を検知する。
【０１１２】
具体的に、符号化図形検知部３１０は、第２面の読取画像データ３０１ｂにおいて、二次元コード３０２ｆの裏面に相当する領域に二次元コード３０２ｂがあるか否かを検知する。
【０１１３】
図１２に示すように、直線Ｌ１−Ｌ２で原稿Ｓが挟み込まれたクリアファイル３００を折り曲げたと仮定すると、ユーザは、クリアファイル３００に存在する二次元コード３０２ｂを視認することができる。また、クリアファイル３００を折り曲げた状態から、元の状態（直線Ｌ１−Ｌ２で折り曲げていない状態）にすると、二次元コード３０２ｆと二次元コード３０２ｂとの位置が重複することになる。
【０１１４】
したがって、符号化図形検知部３１０は、第２面の読取画像データ３０１ｂの所定の領域、すなわち、第１面の読取画像データ３０１ｆに含まれる二次元コード３０２ｆの裏面に相当する領域において、二次元コード３０２ｂがあるか否かを検知することができる。
【０１１５】
また、符号化図形検知部３１０は、読取画像データ３０１に、二次元コード３０２以外の符号化図形（例えば、二次元コード３０２とは異なる制御情報が符号化された二次元コードなど）が含まれているか否かを検知する。そして、符号化図形検知部３１０は、検知した二次元コード３０２、二次元コード３０３の画像を、符号化図形比較部３２０、および、符号化図形処理部３３０に送信する。
【０１１６】
符号化図形比較部３２０は、二次元コード３０２ｂをｙ軸について反転処理し、反転処理した二次元コード３０２ｂと、符号化図形検知部３１０から受信した二次元コード３０２ｆとを比較する。
【０１１７】
具体的に、符号化図形比較部３２０は、所定の領域の画像を画素単位で比較し、輝度レベルが一致する画素数の割合が所定の値を超えたか否かによって比較対象の画像同士が一致するか否かを判定する。また、符号化図形比較部３２０は、他の任意の画像比較アルゴリズムを用いて比較対象の画像同士が一致するか否かを判定することができる。
【０１１８】
符号化図形処理部３３０は、受信した二次元コード３０２もしくは二次元コード３０３をデコード（復号）して符号化された情報を取得し、復号させた情報を主制御部１１０に通知する。この時、符号化図形処理部３３０は、符号化された情報に含まれる画像処理の制御情報の内容を一時記憶部３４０に出力し、一時的に記憶させる構成であってもよい。
【０１１９】
図１３は、二次元コード３０２に符号化された情報の例を示す図である。二次元コード３０２に符号化された情報は、画像処理装置１に所定の動作を実行させるための情報（以降、「制御情報」とする）であり、図１３には、制御情報が自然言語で表されたものを例示している。
【０１２０】
図１３に示すように、二次元コード３０２には、“アプリケーション”、“入力原稿サイズ”、“入力原稿種類”、“読み取り解像度”、“カラー設定”、“読み取り集約”、“配信先情報”を制御するための情報が制御情報として含まれる。
【０１２１】
なお、主制御部１１０は、図１３に示す制御情報を、ディスプレイパネル７９０に表示させても良い。このような構成の場合、ユーザは、ディスプレイパネル７９０に表示される制御情報によってスキャン配信の詳細について確認することができる。
【０１２２】
一時記憶部３４０は、読取画像データおよび制御情報を一時的に記憶する。
【０１２３】
編集処理部３５０は、二次元コード３０２もしくは二次元コード３０３をデコードして得られた制御情報に基づいて読取画像データに対して編集処理を実行し、編集して生成した処理済画像データを一時記憶部３４０や主制御部１１０に出力する。
【０１２４】
図１４は、画像処理装置１に所定の動作を実行させるためのジョブ設定の設定項目を示す図である。なお、図１４においては、図１３で説明した二次元コード３０２をデコードして得られた制御情報に基づいてジョブ設定を更新する前における画像処理装置１に所定の動作を実行させるためのジョブ設定の設定項目（更新前情報）を例示している。
【０１２５】
なお、図１５においては、図１３で説明した二次元コード３０２をデコードして得られた制御情報に基づいてジョブ設定を更新した後における画像処理装置１に所定の動作を実行させるためのジョブ設定の設定項目（更新後情報）を例示している。
【０１２６】
図１４に示すように、更新前情報においては、“配信先情報”が設定されていない。そこで、主制御部１１０は、符号化図形処理部３３０から受信した制御情報に基づいて、更新前情報を更新し、図１５に示すように更新後情報に書き換える。
【０１２７】
図１５に示すように、更新前情報に対して制御情報を反映させて更新された更新後情報では、更新前情報では設定されていなかった“配信先情報”が「￥￥１９２．ＸＸ．Ｘ．０￥Ｕｓｅｒ−Ａ￥ｓｈａｒｅ￥」と設定され、各項目の設定内容が制御情報で特定された内容に書き換えられている。
【０１２８】
このような構成によって、ユーザは、スキャン配信対象であって、原稿Ｓが挟み込まれ、二次元コード３０２が付されたクリアファイル３００をスキャンするだけで、意図した配信先に読取画像データの配信を行うことができる。このとき、スキャン処理によって読み取った画像が、読取画像データに含まれる二次元コード３０２を復号して得られる情報、すなわち、二次元コード３０２に符号化された配信先に関する情報によって特定される配信先へ配信される。
【０１２９】
このとき、クリアファイル３００や原稿Ｓに、第１制御情報が符号化された第１符号化図形である二次元コード３０２とは異なる第２制御情報が符号化されて形成された第２符号化図形である二次元コード３０３が表現されている場合がある。また、クリアファイル３００の両面（すなわち、第１面と第２面の両方）に二次元コード３０２が表現されている場合もある。
【０１３０】
このような場合、原稿Ｓが挟み込まれたクリアファイル３００の両面を読み取って生成された読取画像データに、異なる情報が符号化された二次元コード３０２、二次元コード３０３が含まれることとなるため、どちらを復号して制御情報として用いるべきかがわからない状況が起こりうる。
【０１３１】
そこで、本実施形態では、第２の給紙口７２からクリアファイル３００が挿入された場合に、第１面の読取画像データと第２面の読取画像データとを比較する。そして、比較結果に基づいて制御情報として用いる符号化図形を決定し、その符号化図形を復号した情報を反映させて画像処理装置１に処理を実行させる。
【０１３２】
次に、本実施形態に係る画像処理装置１におけるスキャン配信を行う処理の流れをフローチャートに示された各ステップにしたがって説明する。図１６は、本実施形態に係る画像処理装置１における処理の流れを示すフローチャートである。
【０１３３】
図３において説明したように、本実施形態に係る画像処理装置１は、第１の給紙口５９と第２の給紙口７２とを有する構成である。また、上述したように、画像処理装置１は、第２の給紙口７２からクリアファイル３００が挿入された際に、符号化図形に符号化された制御情報を用いてスキャナ動作を実行する。
【０１３４】
したがって、エンジン制御部１２０は、手差しセット検知センサ７４において、手差し原稿トレイ７３から原稿Ｓを挟み込んだクリアファイル３００が挿入されたことを検知する。そして、エンジン制御部１２０は、クリアファイル３００を手差しセット検知センサ７４で検知したことをトリガーとして（Ｓ１０１）、本処理を開始する。
【０１３５】
次に、エンジン制御部１２０は、ストレート搬送経路６０へとクリアファイル３００を繰り出し、画像読取部４にクリアファイル３００の第１面および第２面の読み取りを実行させる（Ｓ１０２）。画像読取部４がクリアファイル３００を読み取った撮像情報は、画像処理部１３０へと転送され、画像処理部１３０は、受信した撮像情報に基づいて読取画像データ３０１ｆ、３０１ｂを生成する。
【０１３６】
符号化図形検知部３１０は、第１面の読取画像データ３０１ｆにおける二次元コード３０２ｆの有無を検知する（Ｓ１０３）。本実施形態では、クリアファイル３００の両面にそれぞれ二次元コード３０２ｆ、３０２ｂが含まれている。したがって、第１面の読取画像データ３０１ｆにおいて二次元コード３０２ｆが検知されない場合（Ｓ１０３／ＮＯ）、符号化図形検知部３１０は本処理を終了する。
【０１３７】
第１面の読取画像データ３０１ｆにおいて二次元コード３０２ｆが検知されると（Ｓ１０３／ＹＥＳ）、符号化図形検知部３１０は、第２面の読取画像データ３０１ｂにおける二次元コード３０２ｂの有無を検知する（Ｓ１０４）。
【０１３８】
なお、画像読取部４においてクリアファイル３００の読取が先に完了した面を第１面とし、第１面の裏面を第２面としているが、例えば、光学走査ユニット６９で撮像されたクリアファイル３００の面を第１面もしくは第２面として用いる構成であってもよい。
【０１３９】
第２面の読取画像データ３０１ｂにおいて二次元コード３０２ｂが検知されない場合（Ｓ１０４／ＮＯ）、符号化図形検知部３１０は、本処理を終了する。一方で、読取画像データ３０１ｂにおいて二次元コード３０２ｂが検知される（Ｓ１０４／ＹＥＳ）と、符号化図形検知部３１０は、検知した二次元コード３０２ｆと二次元コード３０２ｂとを符号化図形比較部３２０に転送する。
【０１４０】
符号化図形比較部３２０は、二次元コード３０２ｂをｙ軸について反転処理し（Ｓ１０５）、二次元コード３０２ｂと二次元コード３０２ｆとが一致するか否かを判定する（Ｓ１０６）。
【０１４１】
二次元コード３０２ｂと二次元コード３０２ｆとが一致する場合（Ｓ１０６／ＹＥＳ）、符号化図形処理部３３０は、符号化図形比較部３２０から二次元コード３０２ｆの画像を受信し、受信した二次元コード３０２ｆをデコード（復号）する（Ｓ１０７）。
【０１４２】
そして、符号化図形処理部３３０は、復号して得られた情報を主制御部１１０に送信する。復号して得られた情報に画像処理装置１の制御情報が含まれる場合、主制御部１１０は、制御情報に従ってジョブ設定を更新し（Ｓ１０８）、ジョブを実行して（Ｓ１０９）本処理を終了する。
【０１４３】
このように、本実施形態に係る画像処理装置１では、第２の給紙口７２からクリアファイル３００に挟まれた原稿Ｓの読み取りが行われると、クリアファイル３００に付されている二次元コード３０２に符号化された制御情報に基づいたジョブを実行する構成となっている。このときに、読取画像データ３０１の両面において同じ二次元コード３０２が検知された場合に、検知された二次元コード３０２をデコードして制御情報を取得する。
【０１４４】
したがって、例えば、一面にのみ二次元コードが付された他のファイルや、原稿Ｓのみを読み取った場合には、二次元コードのデコードが行われないため、二次元コードの誤検知によって、ユーザが所望しない画像処理装置１の動作が実行されることを防ぐことができる。
【０１４５】
第２の実施形態．
第１の実施形態においては、クリアファイル３００の両面に同じ制御情報が符号化された二次元コード３０２が付された場合の画像処理装置１の動作について説明を行った。このとき、クリアファイル３００の第１面と第２面において、それぞれ異なる制御情報が符号化された二次元コード３０２、二次元コード３０３が付されている場合がある。
【０１４６】
このような場合、本実施形態では、二次元コード３０２、二次元コード３０３に符号化されたそれぞれの制御情報によって実行される画像処理装置１の動作のうち、どちらを実行するかをユーザの選択に基づいて決定する。
【０１４７】
図１７は、本実施形態に係る画像処理装置１における処理の流れを示すフローチャートである。なお、図１７のフローチャートにおいては、図１６で説明した処理ステップのうち、同じ処理を行う処理ステップのブロックには同じ符号を付し、重複する説明を省略する。
【０１４８】
符号化図形比較部３２０は、第２面の読取画像データで検知された二次元コードをｙ軸について反転処理し（Ｓ１０５）、二次元コード３０２ｆと第２面の読取画像データで検知された二次元コードとが一致するか否かを判定する（Ｓ２０１）。
【０１４９】
第２面の読取画像データで検知された二次元コードと二次元コード３０２ｆとが一致する場合（Ｓ２０１／ＹＥＳ）、符号化図形処理部３３０は、符号化図形比較部３２０から二次元コード３０２ｆの画像を受信し、受信した二次元コード３０２ｆをデコード（復号）する（Ｓ２０２）。
【０１５０】
そして、符号化図形処理部３３０は、復号して得られた情報を主制御部１１０に送信する。復号して得られた情報に画像処理装置１の制御情報が含まれる場合、主制御部１１０は、制御情報に従ってジョブ設定を更新し（Ｓ２０５）、ジョブを実行して（Ｓ２０６）本処理を終了する。
【０１５１】
第２面の読取画像データで検知された二次元コードと二次元コード３０２ｆとが一致しない場合（Ｓ２０１／ＮＯ）、符号化図形処理部３３０は、符号化図形比較部３２０から第２面の読取画像データで検知された二次元コードおよび二次元コード３０２ｆの画像を受信し、受信した第２面の読取画像データで検知された二次元コードおよび二次元コード３０２ｆをデコード（復号）する（Ｓ２０３）。
【０１５２】
そして、符号化図形処理部３３０は、復号して得られた情報を主制御部１１０に送信する。復号して得られた情報に画像処理装置１の制御情報が含まれる場合、主制御部１１０は、第２面の読取画像データで検知された二次元コードおよび二次元コード３０２ｆがそれぞれ復号された制御情報に基づくジョブ設定を、自然言語を用いてディスプレイパネル７９０に表示させる。
【０１５３】
画像処理装置１のユーザは、ディスプレイパネル７９０に表示されたジョブ設定のうち、どちらのジョブ設定を用いるかを選択して入力する。なお、このとき、画像処理装置１に予め設定されているジョブ設定を用いて画像処理装置１を動作させてもよい。
【０１５４】
操作表示制御部１４０は、ディスプレイパネル７９０を介してユーザによって入力された情報を主制御部１１０に通知する（Ｓ２０４）。そして、主制御部１１０は、受信した情報に従ってジョブ設定を更新し（Ｓ２０５）、ジョブを実行して（Ｓ２０６）本処理を終了する。
【０１５５】
このように、本実施形態では、二次元コード３０２、二次元コード３０３に符号化されたそれぞれの制御情報によって実行される画像処理装置１の動作のうち、どちらを実行するかをユーザの選択に基づいて決定する。ゆえに、よりユーザビリティを向上させて画像処理装置１の運用をすることができる。
【０１５６】
第３の実施形態．
第２の実施形態においては、クリアファイル３００の第１面と第２面にそれぞれ付された二次元コード３０２、二次元コード３０３に基づいて読取画像データに対して行う処理についての説明を行った。
【０１５７】
このとき、図１８に示すように、例えば、原稿Ｓの第１面に、二次元コード３０２とは異なる制御情報が符号化された二次元コード３０４が表現されていることがある。このとき、原稿Ｓが挟み込まれたクリアファイル３００の読取画像データには、二次元コード３０２と二次元コード３０４とが含まれることとなる。
【０１５８】
このような場合、本実施形態では、クリアファイル３００に付された二次元コード３０２、および、原稿Ｓの第１面に表現された二次元コード３０４にそれぞれ符号化された制御情報によって実行される画像処理装置１の動作のうち、どれを実行するかを決定する。
【０１５９】
図１９から図２２は、本実施形態に係る画像処理装置１における処理の流れを示すフローチャートである。なお、図１９から図２２のフローチャートにおいては、図１６で説明した処理ステップのうち、同じ処理を行う処理ステップのブロックには同じ符号を付し、重複する説明を省略する。
【０１６０】
符号化図形比較部３２０は、第２面の読取画像データで検知された二次元コードをｙ軸について反転処理し（Ｓ３０１）、二次元コード３０２ｆと第２面の読取画像データで検知された二次元コードとが一致するか否かを判定する（Ｓ３０２）。
【０１６１】
第２面の読取画像データで検知された二次元コードと二次元コード３０２ｆとが一致する場合（Ｓ３０２／ＹＥＳ）、符号化図形処理部３３０は、符号化図形比較部３２０から第１面の読取画像データに含まれている二次元コード３０２ｆの画像を受信し、受信した二次元コード３０２ｆをデコード（復号）する（Ｓ３０３）。
【０１６２】
そして、符号化図形処理部３３０は、二次元コード３０２ｆを復号して得られた情報である符号化制御情報を主制御部１１０に送信する。また、二次元コード３０２ｆを復号して得られた情報に画像処理装置１の制御情報が含まれる場合、符号化図形処理部３３０は、一時記憶部３４０に、復号して得られた制御情報を送信する。
【０１６３】
一時記憶部３４０は、制御情報に基づいて画像処理装置１の動作を実行するためのジョブ設定を記憶する（Ｓ３０４）。また、主制御部１１０は、制御情報に従ってジョブ設定を更新し（Ｓ３０５）、ジョブを実行して（Ｓ３０６）本処理を終了する。
【０１６４】
Ｓ３０２の処理において、第２面の読取画像データで検知された二次元コードと二次元コード３０２ｆとが一致しない場合（Ｓ３０２／ＮＯ）、符号化図形処理部３３０は、Ｓ１０３の処理において、符号化図形検知部３１０が第１面の読取画像データにおいて複数の二次元コードを検知したか否かを判定する（Ｓ３０７）。
【０１６５】
符号化図形検知部３１０がＳ１０３の処理において複数の二次元コードを検知した場合（Ｓ３０７／ＹＥＳ）、符号化図形処理部３３０は、Ｓ１０３の処理において検知された二次元コードを復号し（Ｓ３０８）、主制御部１１０に送信する。ここでは、符号化図形検知部３１０が、第１面の読取画像データにおいて、二次元コード３０２および二次元コード３０４を検知したと仮定して説明を行う。
【０１６６】
主制御部１１０は、符号化図形処理部３３０から受信した二次元コード３０２および二次元コード３０４がそれぞれ復号された制御情報によって定まるジョブ設定と同一であるジョブ設定が、一時記憶部３４０に記憶されているか否かを判定する（Ｓ３０９）。
【０１６７】
二次元コード３０２および二次元コード３０４が復号された制御情報によって定まるジョブ設定と同じジョブ設定が一時記憶部３４０に記憶されている場合（Ｓ３０９／ＹＥＳ）、主制御部１１０は、一時記憶部３４０に記憶されているジョブ設定に、同一条件の読み取り項目があるか否かを判定する（Ｓ３１０）。
【０１６８】
すなわち、主制御部１１０は、二次元コード３０２および二次元コード３０４が復号された制御情報によって定まるジョブ設定と同じであると判定されたジョブ設定について、二次元コード３０２および二次元コード３０４が復号された制御情報によって定まるジョブ設定の読み取り項目と同一条件であるか否かを判定する。
【０１６９】
一時記憶部３４０に記憶されているジョブ設定に、同一条件の読み取り項目がある場合（Ｓ３１０／ＹＥＳ）、主制御部１１０は、同一条件の読み取り項目があると判定されたジョブ設定に基づいた動作が画像処理装置１で実行されるようにする。
【０１７０】
すなわち、主制御部１１０は、一時記憶部３４０に記憶されていたジョブ設定であって、Ｓ３１０で同一条件の読み取り項目がある、すなわち、読み取り処理の内容が共通していると判定されたジョブ設定が反映されるように画像処理装置１のジョブ設定を更新する（Ｓ３１１）。
【０１７１】
一時記憶部３４０に記憶されているジョブ設定に、同一条件の読み取り項目がない場合（Ｓ３１０／ＹＥＳ）、主制御部１１０は、二次元コード３０２および二次元コード３０４が復号された制御情報によって定まるジョブ設定であって、Ｓ３０９で一時記憶部３４０に記憶されているジョブ設定と同じであると判定されたジョブ設定が反映されるように画像処理装置１のジョブ設定を更新する（Ｓ３１２）。
【０１７２】
なお、Ｓ３１２の処理を実行する際に、二次元コード３０２および二次元コード３０４が復号された制御情報によって定まるジョブ設定のいずれもが、一時記憶部３４０に記憶されているジョブ設定と同じである場合がある。
【０１７３】
このような場合、Ｓ２０４の処理と同様に、二次元コード３０２および二次元コード３０４が復号された制御情報に基づくジョブ設定を、自然言語を用いてディスプレイパネル７９０に表示させ、ディスプレイパネル７９０を介してユーザによって入力された情報に基づいてＳ３１２で反映させるジョブ設定を決定してもよい。
【０１７４】
二次元コード３０２および二次元コード３０４が復号された制御情報によって定まるジョブ設定と同じジョブ設定が一時記憶部３４０に記憶されていない場合（Ｓ３０９／ＮＯ）、主制御部１１０は、二次元コード３０２および二次元コード３０４が復号された制御情報によって定まるジョブ設定に、読み取り項目が含まれているか否かを判定する（Ｓ３１３）。
【０１７５】
二次元コード３０２および二次元コード３０４が復号された制御情報によって定まるジョブ設定に読み取り項目が含まれている場合（Ｓ３１３／ＹＥＳ）、主制御部１１０は、二次元コード３０２および二次元コード３０４が復号された制御情報によって定まるジョブ設定が反映されるように、画像処理装置１のジョブ設定を更新する（Ｓ３１４）。
【０１７６】
なお、Ｓ３１４の処理を実行する際に、二次元コード３０２および二次元コード３０４が復号された制御情報によって定まるジョブ設定のいずれもが、読み取り項目を含んでいる場合がある。
【０１７７】
このような場合、Ｓ２０４の処理と同様に、二次元コード３０２および二次元コード３０４が復号された制御情報に基づくジョブ設定を、自然言語を用いてディスプレイパネル７９０に表示させ、ディスプレイパネル７９０を介してユーザによって入力された情報に基づいてＳ３１４で反映させるジョブ設定を決定してもよい。
【０１７８】
二次元コード３０２および二次元コード３０４が復号された制御情報によって定まるジョブ設定に読み取り項目が含まれていない場合（Ｓ３１３／ＮＯ）、主制御部１１０は、図２３に示すような画像処理装置１の製造出荷時に設定されているジョブ設定（デフォルト設定）に基づいてジョブ設定を更新する（Ｓ３１５）。
【０１７９】
なお、Ｓ３０７の処理において、符号化図形検知部３１０が第１面の読取画像データにおいて複数の二次元コードを検知していない場合（Ｓ３０７／ＮＯ）、符号化図形処理部３３０は、符号化図形比較部３２０から第２面の読取画像データで検知された二次元コードおよび第１面の読取画像データで検知された二次元コード３０２の画像を受信し、デコード（復号）する（Ｓ３１６）。
【０１８０】
そして、符号化図形処理部３３０は、復号して得られた情報を主制御部１１０に送信する。復号して得られた情報に画像処理装置１の制御情報が含まれる場合、主制御部１１０は、第２面の読取画像データで検知された二次元コードおよび第１面の読取画像データで検知された二次元コード３０２がそれぞれ復号された制御情報に基づくジョブ設定を、自然言語を用いてディスプレイパネル７９０に表示させる。
【０１８１】
画像処理装置１のユーザは、ディスプレイパネル７９０に表示されたジョブ設定のうち、どちらのジョブ設定を用いるかを選択して入力する。なお、このとき、画像処理装置１に予め設定されているジョブ設定を用いて画像処理装置１を動作させてもよい。
【０１８２】
操作表示制御部１４０は、ディスプレイパネル７９０を介してユーザによって入力された情報を主制御部１１０に通知する（Ｓ３１７）。そして、主制御部１１０は、受信した情報に従ってジョブ設定を更新し（Ｓ３１８）、ジョブを実行して（Ｓ３０６）本処理を終了する。
【０１８３】
以上説明したように、本実施形態においては、原稿Ｓに二次元コードが表現されている場合に、原稿Ｓに表現された二次元コードもしくは二次元コード３０２に符号化されたそれぞれの制御情報によって実行される画像処理装置１の動作のうち、どちらを実行するかをユーザの選択に基づいて決定する。
【０１８４】
また、クリアファイル３００の両面に二次元コード３０２が付されている場合には、二次元コード３０２に符号化されたジョブ設定を優先的に反映させる。ゆえに、よりユーザビリティを向上させて画像処理装置１の運用をすることができる。
【０１８５】
その他の実施形態．
クリアファイル３００に原稿Ｓを挟み込む際に、図２４および図２５に示すように、クリアファイル３００に付されている二次元コード３０２と原稿Ｓとが重複してしまい、第２面の読取画像データにおいて、二次元コード３０２ｂの一部が欠けてしまうことがある。
【０１８６】
このような場合、第２面の読取画像データにおいて、一部が欠けた二次元コード３０２ｂの一部と、二次元コード３０２ｆとを比較可能としてもよい。具体的には、図２６に示すように、符号化図形検知部３１０は、第１面で検知した二次元コード３０２の高さｈに基づいて第２面の読取画像データにおいて二次元コードを検知する。
【０１８７】
図２６では、二次元コード３０２の高さｈ／２の領域に相当する二次元コードが検知される例を示しているが、例えば、符号化図形検知部３１０は、二次元コード３０２の幅方向の長さに基づいて、第２面の読取画像データにおける二次元コードの検知を行ってもよい。
【０１８８】
そして、符号化図形比較部３２０は、二次元コード３０２および二次元コード３０２の高さｈ／２の領域に相当する部分符号化図形である二次元コードを比較する。
【０１８９】
このときの比較態様として、符号化図形比較部３２０は、所定の領域の画像を画素単位で比較し、輝度レベルが一致する画素数の割合が所定の値を超えたか否かによって比較対象の画像同士が一致するか否かを判定する。また、符号化図形比較部３２０は、他の任意の画像比較アルゴリズムを用いて比較対象の画像同士が一致するか否かを判定することができる。
【０１９０】
以上説明したように、本発明に係る画像処理装置１は、読取画像データに複数の二次元コードが存在する場合であっても、どの二次元コードが実行するべき処理の設定を示す情報を符号化した二次元コードであるかを判定し、適切な設定を反映させた処理を実行することができる。したがって、二次元コードの誤検知を低減してユーザの所望する画像処理を実行することが可能となる。
【符号の説明】
【０１９１】
１  画像処理装置
１０  ＣＰＵ
２０  ＲＡＭ
３０  ＲＯＭ
４０  ＨＤＤ
５０  Ｉ／Ｆ
６０  ＬＣＤ
７０  操作部
８０  専用デバイス
９０  バス
１００  コントローラ
１０１  ＡＤＦ
１０２  スキャナユニット
１０３  排紙トレイ
１０４  ディスプレイパネル
１０５  給紙テーブル
１０６  プリントエンジン
１０７  排紙トレイ
１０８  ネットワークＩ／Ｆ
１０９  ＦＡＸモデム
１１０  主制御部
１２０  エンジン制御部
１３０  画像処理部
１４０  操作表示制御部
１５０  入出力制御部
１６０  ＦＡＸ制御部
３１０  符号化図形検知部
３２０  符号化図形比較部
３３０  符号化図形処理部
３４０  一時記憶部
３５０  編集処理部
【先行技術文献】
【特許文献】
【０１９２】
【特許文献１】特開２０１７−２２８９４１号公報
【図１】
2019161584.tif 000003
【図２】
2019161584.tif 000004
【図３】
2019161584.tif 000005
【図４】
2019161584.tif 000006
【図５】
2019161584.tif 000007
【図６】
2019161584.tif 000008
【図７】
2019161584.tif 000009
【図８】
2019161584.tif 000010
【図９】
2019161584.tif 000011
【図１０】
2019161584.tif 000012
【図１１】
2019161584.tif 000013
【図１２】
2019161584.tif 000014
【図１３】
2019161584.tif 000015
【図１４】
2019161584.tif 000016
【図１５】
2019161584.tif 000017
【図１６】
2019161584.tif 000018
【図１７】
2019161584.tif 000019
【図１８】
2019161584.tif 000020
【図１９】
2019161584.tif 000021
【図２０】
2019161584.tif 000022
【図２１】
2019161584.tif 000023
【図２２】
2019161584.tif 000024
【図２３】
2019161584.tif 000025
【図２４】
2019161584.tif 000026
【図２５】
2019161584.tif 000027
【図２６】
2019161584.tif 000028